(57)【要約】      （修正有）【課題】印刷画像と共に印刷するプレプリント画像のサイズを用紙サイズに合わせて調整しつつ、プレプリント画像に含まれるロゴマークなどはサイズを変えずに印刷する印刷装置、印刷システム並びに印刷方法を提供する。【解決手段】プリンターは、プレプリント画像Ａを記憶部に記憶しており、印刷データを受信すると、このプレプリント画像Ａを読み出し、ラベルの形状に合わせてプレプリント画像Ａのサイズを調整する拡縮処理を行う。このとき、ロゴマークＡ２などの部分を最初にプレプリント画像Ａから切り出して一時保存しておき、サイズ調整後の拡縮画像Ａ５に対して、切り取っておいたロゴマークＡ２を含む部分画像Ａ３を合成する。その後に、印刷画像Ｂを合成して印刷することにより、プレプリント画像Ａのサイズを調整しつつ、ロゴマークＡ２のサイズは変えずに印刷する。【選択図】図３
2016100666.tif 000002
【特許請求の範囲】
【請求項１】
印刷媒体に印刷画像を印刷する印刷機構と、
前記印刷画像を受信する通信部と、
第１画像を記憶する記憶部と、
前記印刷媒体の情報に基づいて、前記記憶部から読み出した前記第１画像を調整して調
整画像を生成する第１画像調整部と、
前記調整画像と前記印刷画像とを合成して合成画像を生成する印刷画像合成部と、
前記印刷機構を制御して、前記合成画像を前記印刷媒体に印刷する印刷制御部と、を有
し、
前記第１画像調整部は、
前記第１画像からその一部である第２画像を切り出し、前記第２画像を切り出した後の
前記第１画像を前記印刷媒体の情報に基づいて拡大あるいは縮小し、当該拡大あるいは縮
小した画像と前記第２画像とを合成して前記調整画像を生成することを特徴とする印刷装
置。
【請求項２】
前記記憶部は、前記第１画像から切り出すべき前記第２画像の領域を指定する領域情報
を記憶し、
前記第１画像調整部は、前記領域情報に基づき、前記第２画像を切り出すことを特徴と
する請求項１に記載の印刷装置。
【請求項３】
前記通信部は、前記印刷媒体の情報を受信し、
前記第１画像調整部は、当該受信した前記印刷媒体の情報に基づき、前記第２画像を切
り出した後の前記第１画像を拡大あるいは縮小することを特徴とする請求項１または２に
記載の印刷装置。
【請求項４】
前記印刷画像を複数含む印刷データを前記通信部で受信した場合には、
前記印刷画像合成部は、前記調整画像を生成し、生成した前記調整画像を前記複数の前
記印刷画像のそれぞれと合成して、複数の前記合成画像を生成し、
前記印刷制御部は、前記複数の前記合成画像のそれぞれを前記印刷媒体に印刷すること
を特徴とする請求項１ないし３のいずれかの項に記載の印刷装置。
【請求項５】
前記第１画像調整部は、前記拡大あるいは縮小した画像と前記第２画像との境界の画素
を調整することを特徴とする請求項１ないし４のいずれかの項に記載の印刷装置。
【請求項６】
前記印刷媒体は、長尺の台紙にラベルが貼られたラベル紙であり、
前記第１画像調整部は、幅あるいは長さの少なくとも一方が前記ラベルと一致する寸法
となるように、前記第２画像を切り出した後の前記第１画像を拡大あるいは縮小すること
を特徴とする請求項１ないし５のいずれかの項に記載の印刷装置。
【請求項７】
請求項１ないし６のいずれかの項に記載の印刷装置と、
前記印刷装置に前記印刷画像を送信する上位装置と、を有することを特徴とする印刷シ
ステム。
【請求項８】
前記上位装置は、前記印刷装置に前記第１画像を送信して前記記憶部に記憶させる第１
画像登録部を備えることを特徴とする請求項７に記載の印刷システム。
【請求項９】
印刷媒体に印刷する第１画像を記憶する記憶部を備える印刷装置による印刷方法であっ
て、
印刷画像を受信したことに基づき、前記第１画像を前記記憶部から読み出す第１ステッ
プと、
当該読み出した前記第１画像からその一部である第２画像を切り出す第２ステップと、
前記第２画像を切り出した後の前記第１画像を前記印刷媒体の情報に応じて拡大あるい
は縮小する第３ステップと、
当該拡大あるいは縮小した画像と前記第２画像とを合成して調整画像を生成する第４ス
テップと、
前記調整画像と前記印刷画像とを合成して合成画像を生成する第５ステップと、
前記合成画像を前記印刷媒体に印刷する第６ステップと、を行うことを特徴とする印刷
方法。
【請求項１０】
前記印刷画像を複数含む印刷データを上位装置から受信した場合には、
前記第１ステップないし前記第４ステップの処理を行って前記調整画像を生成し、
しかる後に、生成した前記調整画像を用いて、前記複数の前記印刷画像のそれぞれにつ
いて、前記第５ステップと前記第６ステップを行うことを特徴とする請求項９に記載の印
刷方法。
【発明の詳細な説明】
【技術分野】
【０００１】
本発明は、印刷画像を別の画像と共に印刷媒体に印刷する印刷装置および印刷システム
、ならびに印刷方法に関する。
【背景技術】
【０００２】
商品に貼るラベルなどの印刷物を作成する場合に、予め、背景色や背景画像、枠などの
プレプリント画像を印刷したラベル紙を用いることがある。例えば、プレプリント画像が
印刷されたラベル紙を予め作成しておき、これをプリンター（印刷装置）に装填する。プ
リンターは、印刷画像をホストコンピューターから受信すると、受信した印刷画像をプレ
プリント画像に重ねて印刷してラベルなどの印刷物を作成する。
【０００３】
このようなラベルの印刷方法は、予め、プレプリント画像を印刷したラベル紙を別途作
成しておく必要がある。この手間を省くために、プレプリント画像と印刷画像を一度に印
刷する方法が用いられている。例えば、プリンターに装填する用紙としては何も印刷され
ていない白紙のラベル紙を用い、プレプリント画像をプリンターの記憶部に記憶させてお
く。プリンターは、印刷画像を受信すると、プレプリント画像を読み出して印刷画像と合
成し、合成画像を白紙のラベルに印刷する。
【０００４】
ここで、ラベル紙に印刷するプリンターには、複数のサイズのラベルへの印刷に対応可
能なものがある。このようなプリンターで印刷画像と共にプレプリント画像を印刷する場
合、ラベルのサイズに応じて、複数のサイズのプレプリント画像をプリンターに登録して
おく必要がある。このため、プリンターに記憶させておくデータ容量が大きくなってしま
う。また、新たなサイズのラベルに印刷する場合には、新たなサイズのプレプリント画像
を新たに登録する必要があり、登録作業に手間がかかる。
【０００５】
このような不都合を解消する方法として、１つのプレプリント画像をラベルサイズに合
わせて拡大または縮小して用いる方法がある。しかしながら、プレプリント画像を拡大あ
るいは縮小するだけでは、プレプリント画像にロゴマークやシンボルマーク、バーコード
などが含まれていた場合に、これらの部分も一律に拡大あるいは縮小されてしまう。その
結果、印刷されたロゴマークやシンボルマークの外観性が低下したり、ロゴマークやシン
ボルマークの使用規定に適合したサイズで印刷できないといった不都合が生じる。また、
バーコードの場合には、適切なサイズで印刷できないと読み取りが不可能になるおそれも
ある。
【０００６】
印刷画像の拡大あるいは縮小を行いつつ、適切なサイズでその一部（ロゴマークなど）
を印刷できるプリンター（印刷装置）としては、特許文献１に開示されたものがある。特
許文献１の印刷装置は、バーコードを含む１ページ分の印刷を行う際に、バーコードとそ
れ以外の印刷内容を別データとして保持し、バーコードについては元の倍率を維持し、そ
れ以外の印刷内容については用紙サイズに合わせて縮小し、縮小したサイズからはみ出さ
ないようにバーコードを再配置して印刷を行う。これにより、用紙サイズに合わせて縮小
印刷を行いつつ、バーコードが不適切なサイズで印刷されてしまうことを回避できる。
【先行技術文献】
【特許文献】
【０００７】
【特許文献１】特開２００８−１４６４０６号公報
【発明の概要】
【発明が解決しようとする課題】
【０００８】
特許文献１の印刷装置は、印刷画像の中のバーコードの印刷サイズを適切なサイズに維
持することができるものの、印刷画像とプレプリント画像とを合成して印刷するものでは
なく、プレプリント画像に含まれるロゴマークなどを適切なサイズで印刷するものではな
い。また、特許文献１では、サイズを維持して印刷する画像（バーコード）とそれ以外の
画像を最初から別画像として保持する。従って、特許文献１の方法をプレプリント画像に
対して適用した場合、ロゴマーク等の部分とそれ以外の部分を別画像としてプリンターに
登録しておく必要がある。また、ロゴマーク等を最初から別画像とした場合、その印刷位
置を登録しておく必要がある。従って、結局、多くの記憶容量が必要になってしまう。ま
た、プレプリント画像のデータ管理やプレプリント画像を登録する際の登録作業も複雑に
なってしまう。
【０００９】
本発明の課題は、かかる問題点に鑑みて、印刷画像と共に印刷するプレプリント画像の
サイズを印刷媒体に合わせて調整しつつ、プレプリント画像の一部を適切なサイズを維持
して印刷可能であり、且つ、プレプリント画像の記憶容量が小さく、その登録作業やデー
タ管理が簡単な印刷装置および印刷システム、並びに印刷方法を提案することにある。
【課題を解決するための手段】
【００１０】
上記の課題を解決するために、本発明の印刷装置は、印刷媒体に印刷する印刷機構と、
前記印刷媒体に印刷する印刷画像を受信する通信部と、第１画像を記憶する記憶部と、前
記印刷媒体の情報に基づいて、前記記憶部から読み出した前記第１画像を調整して調整画
像を生成する第１画像調整部と、前記調整画像と前記印刷画像とを合成して合成画像を生
成する印刷画像合成部と、前記印刷機構を制御して、前記合成画像を前記印刷媒体に印刷
する印刷制御部と、を有し、前記第１画像調整部は、前記第１画像からその一部である第
２画像を切り出し、前記第２画像を切り出した後の前記第１画像を前記印刷媒体の情報に
基づいて拡大あるいは縮小し、当該拡大あるいは縮小した画像と前記第２画像とを合成し
て前記調整画像を生成することを特徴とする。
【００１１】
本発明によれば、プレプリント画像として用いる１つの第１画像のみを記憶部に記憶さ
せておけばよく、印刷媒体に合わせて第１画像のサイズを調整して、印刷画像と合成して
印刷することができる。従って、様々な印刷媒体に適合するサイズでプレプリント画像（
第１画像）を印刷できる構成でありながら、プレプリント画像（第１画像）を記憶保持す
るための記憶容量が少なくて済み、その登録作業やデータ管理などの負荷も少ない。また
、プレプリント画像（第１画像）の中でサイズを変更すべきでない部分（第２画像：ロゴ
やバーコードなど）を一旦切り出して保持することで、プレプリント画像（第１画像）の
全体のサイズを調整しつつ、第２画像の部分は適切なサイズを維持して印刷することがで
きる。よって、第１画像のサイズ調整を行ったことで、第２画像の部分が不適切なサイズ
で印刷されてしまうという不具合を防止できる。
【００１２】
本発明において、前記記憶部は、前記第１画像から切り出すべき前記第２画像の領域を
指定する領域情報を記憶し、前記第１画像調整部は、前記領域情報に基づき、前記第２画
像を切り出すことが望ましい。このようにすると、少ないデータ量で、サイズを変更すべ
きでない部分（第２画像：ロゴやバーコードなど）を正確に切り出して保持することがで
きる。
【００１３】
本発明において、前記通信部は、前記印刷媒体の情報を受信し、前記第１画像調整部は
、当該受信した前記印刷媒体の情報に基づき、前記第２画像を切り出した後の前記第１画
像を拡大あるいは縮小することが望ましい。このようにすると、印刷画像と共に上位装置
から取得した印刷媒体の情報に基づいて第１画像を調整できる。
【００１４】
本発明において、前記印刷画像を複数含む印刷データを前記通信部で受信した場合には
、前記印刷画像合成部は、前記調整画像を生成し、生成した前記調整画像を前記複数の前
記印刷画像のそれぞれと合成して、複数の前記合成画像を生成し、前記印刷制御部は、前
記複数の前記合成画像のそれぞれを前記印刷媒体に印刷することが望ましい。このように
すると、複数のページや複数のラベルに印刷する場合に、最初に調整画像を生成し、続い
て、この調整画像を用いて、複数のページやラベルへの印刷を行うことができる。
【００１５】
本発明において、前記第１画像調整部は、前記拡大あるいは縮小した画像と前記第２画
像との境界の画素を調整することが望ましい。このようにすると、合成後の画像が不自然
になることを回避できる。例えば、拡大あるいは縮小した画像と第２画像との境界をぼか
すように画素を調整する処理を行うことができる。
【００１６】
本発明において、前記印刷媒体が長尺の台紙にラベルが貼られたラベル紙である場合に
は、前記第１画像調整部は、幅あるいは長さの少なくとも一方が前記ラベルと一致する寸
法となるように、前記第２画像を切り出した後の前記第１画像を拡大あるいは縮小するよ
うに構成できる。このようにすると、ラベル印刷において、ラベルと一致するサイズにプ
レプリント画像（第１画像）を調整して印刷できる。
【００１７】
次に、本発明の印刷システムは、上記の印刷装置と、前記印刷装置に前記印刷画像を送
信する上位装置と、を有することを特徴とする。また、この印刷システムにおいて、前記
上位装置は、前記印刷装置に前記第１画像を送信して前記記憶部に記憶させる第１画像登
録部を備えることが望ましい。このようにすると、印刷画像を生成して印刷装置に送信す
る上位装置の操作によって、印刷装置へのプレプリント画像（第１画像）の登録までも行
うことができる。
【００１８】
次に、本発明は、印刷媒体に印刷する第１画像を記憶する記憶部を備える印刷装置によ
る印刷方法であって、印刷画像を受信したことに基づき、前記第１画像を前記記憶部から
読み出す第１ステップと、当該読み出した前記第１画像からその一部である第２画像を切
り出す第２ステップと、前記第２画像を切り出した後の前記第１画像を前記印刷媒体の情
報に応じて拡大あるいは縮小する第３ステップと、当該拡大あるいは縮小した画像と前記
第２画像とを合成して調整画像を生成する第４ステップと、前記調整画像と前記印刷画像
とを合成して合成画像を生成する第５ステップと、前記合成画像を前記印刷媒体に印刷す
る第６ステップと、を行う。
【００１９】
また、本発明の印刷方法において、前記印刷画像を複数含む印刷データを前記上位装置
から受信した場合には、前記第１ステップないし前記第４ステップの処理を行って前記調
整画像を生成し、しかる後に、生成した前記調整画像を用いて、前記複数の前記印刷画像
のそれぞれについて、前記第５ステップと前記第６ステップを行うことが望ましい。
【図面の簡単な説明】
【００２０】
【図１】本発明の実施形態に係る印刷システムの機能構成を示すブロック図である。
【図２】ラベル紙の説明図である。
【図３】プレプリント画像の一例を示す説明図である。
【図４】印刷データに基づいてプリンターが行う処理のフローチャートである。
【発明を実施するための形態】
【００２１】
以下に、図面を参照して、本発明を適用した印刷装置および印刷システム、およびその
印刷方法の実施の形態を説明する。
【００２２】
（全体構成）
図１は、本発明の実施形態に係る印刷システムの機能構成を示すブロック図であり、図
２はラベル紙の説明図である。印刷システム１は、プリンター２（印刷装置）と、ホスト
コンピューター３（上位装置）を備える。プリンター２とホストコンピューター３は通信
可能である。プリンター２にはラベル紙Ｐ（印刷媒体）が装填される。ラベル紙Ｐは、図
２に示すように、長尺の台紙Ｐ１に定型のラベルＰ２を一定ピッチで貼り付けたものであ
る。プリンター２は、ホストコンピューター３が送信する印刷データを受信すると、印刷
データに基づき、ラベル紙Ｐを搬送してラベルＰ２への印刷を行う。
【００２３】
プリンター２は、ラベル紙Ｐを搬送する搬送機構２１と、ラベル紙Ｐに印刷する印刷機
構２２と、搬送機構２１および印刷機構２２を制御する制御部２３と、ホストコンピュー
ター３との間でデータやコマンドの送受信を行う通信インターフェース２４（通信部）を
備える。印刷機構２２は、例えば、インクジェットヘッドなどの印刷ヘッドを備える。イ
ンクジェットヘッドとしては、例えば、ラベル紙Ｐの紙幅をカバーする範囲にインクを吐
出可能なラインヘッド型のものを用いることができる。プリンター２は、図示しない用紙
装填部を備えており、ここにラベル紙Ｐをロール状に巻いたロール紙を装填する。ロール
紙から繰り出されたラベル紙Ｐは、搬送機構２１によって印刷ヘッドによる印刷位置を経
由して搬送される。
【００２４】
プリンター２の制御部２３は、ＣＰＵ、ＲＡＭ、ＲＯＭ、ＮＶＲＡＭ、ＡＳＩＣなどを
備えており、ＲＯＭ等に記憶されているプログラムに従ってプリンター２の各部を制御す
る。制御部２３は、印刷制御部２３１、記憶部２３２、プレプリント印刷処理部２３３（
第１画像調整部／印刷画像合成部）を備える。印刷制御部２３１は、ホストコンピュータ
ー３から受信した印刷データに基づく処理を行う。具体的には、印刷データに含まれるコ
マンド等を解釈して、ラベル紙Ｐへの印刷を印刷機構２２に実行させる。また、印刷制御
部２３１は、印刷データに基づく処理の過程で、印刷データに含まれる印刷画像と後述す
るプレプリント画像とを合成する処理を、プレプリント印刷処理部２３３に行わせる。プ
レプリント画像は、予め、プリンター２の記憶部２３２に記憶されている。記憶部２３２
は、不揮発性のデータ記憶手段であり、ＮＶＲＡＭ等で構成することができる。
【００２５】
ホストコンピューター３は、プリンター２に対して印刷データ等を送信する装置であり
、例えば、ＣＰＵ、ＲＡＭ、ＨＤＤ、通信インターフェース、表示部、操作部等を備えた
汎用のパーソナルコンピューターを用いることができる。ホストコンピューター３は、プ
レプリント画像登録部３１（第１画像登録部）、ドライバー部３２、アプリケーション部
３３等を備える。これらの機能は、ＨＤＤ等に記憶されたプログラムがホストコンピュー
ター３のＯＳ（オペレーティングシステム）上で動作することによって実現される。
【００２６】
図３はプレプリント画像と印刷画像の一例を示す説明図であり、図３（ａ）は記憶部２
３２が記憶するプレプリント画像である。また、図３（ｂ）〜（ｄ）は後述するプレプリ
ント画像のサイズ調整の説明図であり、図３（ｂ）はプレプリント画像からその一部を切
り取った画像、図３（ｃ）は、一部を切り取ったプレプリント画像を拡縮した画像、図３
（ｄ）は拡縮した画像と切り取った画像とを合成した画像を示す。そして、図３（ｅ）は
サイズ調整済みのプレプリント画像と印刷画像とを合成した画像を示す。
【００２７】
図３（ａ）に例示するプレプリント画像Ａ（第１画像）は、枠状の背景画像Ａ１と、ロ
ゴマークＡ２を含む。プレプリント画像Ａは、図３（ａ）に示すようなものの他に、印刷
画像の背景となる各種の模様や塗り潰し色などを用いることができる。また、プレプリン
ト画像Ａの中には、各種のロゴマークやシンボルマーク、バーコードや２次元コードなど
を含めることができる。
【００２８】
プレプリント画像登録部３１は、ユーザーの操作に基づき、プレプリント画像Ａの画像
データおよび登録命令をプリンター２に送信する。プリンター２は、受信した登録命令に
従い、プレプリント画像Ａの画像データを記憶部２３２に記憶させる。登録するプレプリ
ント画像Ａは、外部の装置で作成された画像データをホストコンピューター３に取り込む
か、あるいは、ホストコンピューター３において画像を作成・編集するアプリケーション
プログラムによって作成したものを用いる。
【００２９】
ドライバー部３２は、ユーザーの操作に基づいてアプリケーション部３３から受け渡さ
れた印刷画像等に基づいて印刷データを生成し、プリンター２に送信する。ラベルＰ２に
印刷する印刷画像は、アプリケーション部３３によって、その作成、編集、管理等を行う
ことができる。印刷データは、印刷画像、用紙情報、他の印刷条件を指示する情報などを
含む。用紙情報は、ラベルＰ２のサイズや台紙Ｐ１上のラベルＰ２の配置を把握できる情
報である。また、他の印刷条件を指示する情報は、例えば、印刷画像の印刷位置を把握で
きる情報である。
【００３０】
ユーザーは、ラベル紙Ｐへの印刷を行う場合、ホストコンピューター３で印刷を指示す
る操作を行う。具体的には、アプリケーション部３３で印刷画像を指定して、印刷実行を
指示する操作を行う。この操作により、アプリケーション部３３からドライバー部３２に
対して、印刷指示および印刷画像等のデータが受け渡される。ドライバー部３２は、アプ
リケーション部３３からの印刷指示を受けて、印刷画像、用紙条件、他の印刷条件を含む
印刷データを生成し、当該印刷データをプリンター２に送信して印刷の実行を指示する。
このとき、ドライバー部３２は、必要に応じて印刷設定画面を表示して、用紙情報や他の
印刷条件の入力を受け付ける。
【００３１】
（印刷処理）
図４は、印刷データに基づいてプリンター２が行う印刷処理のフローチャートである。
印刷データは、プリンター２の通信インターフェース２４で受信され、制御部２３に受け
渡される。制御部２３は、まず、印刷データのうち、用紙情報を受信してプレプリント印
刷処理部２３３に受け渡す（ステップＳ１）。また、このステップＳ１では、他の印刷条
件を指示する情報も受信する。
【００３２】
プレプリント印刷処理部２３３は、用紙情報に基づき、印刷画像とプレプリント画像Ａ
を印刷する印刷領域の幅、具体的には、ラベルＰ２の紙幅方向の寸法であるラベル幅Ｌ２
を求める（ステップＳ２）。用紙情報にラベル紙Ｐの紙幅Ｌと両端の台紙幅Ｌ１（図２参
照）が含まれる場合、プレプリント印刷処理部２３３は、Ｌ２＝Ｌ−Ｌ１×２なる式によ
ってラベル幅Ｌ２を計算する。なお、ドライバー部３２の側でＬ２の値を計算し、用紙情
報に含めておいてもよい。
【００３３】
次に、制御部２３は、印刷データのうち、印刷画像を受信する（ステップＳ３）。なお
、他の印刷条件をステップＳ１でなくこの段階（ステップＳ３）で受信してもよい。そし
て、制御部２３は、最初に受信した用紙情報に基づき、プレプリント印刷処理部２３３に
プレプリント画像Ａのサイズ調整を行わせる（ステップＳ４〜Ｓ７）。プレプリント印刷
処理部２３３は、まず、ステップＳ４（第１ステップ）において、記憶部２３２から、予
め登録されているプレプリント画像Ａ（図３（ａ）参照）を読み出す。続いて、ステップ
Ｓ５（第２ステップ）において、プレプリント画像ＡからロゴマークＡ２の部分（部分画
像Ａ３）を切り出す処理を行う（図３（ｂ）参照）。
【００３４】
記憶部２３２には、予め、プレプリント画像Ａと共に、切り取るべきロゴマークＡ２の
領域を特定する情報（領域情報）が登録されている。例えば、プレプリント画像Ａをプリ
ンター２に登録する処理を行うとき、プレプリント画像Ａと共に、ロゴマークＡ２の領域
を特定する情報も合わせて登録される。プレプリント印刷処理部２３３は、この情報を記
憶部２３２から読み出し、ステップＳ５の処理を行う。具体的には、背景画像Ａ１からロ
ゴマークＡ２を含む矩形の部分画像Ａ３（第２画像）を切り取り、切り取った部分画像Ａ
３を一時的に保存する。
【００３５】
続いて、プレプリント印刷処理部２３３は、部分画像Ａ３が切り取られたプレプリント
画像Ａ４（図３（ｂ）参照）を用紙情報に基づいて拡大あるいは縮小する処理を行う（ス
テップＳ６：第３ステップ）。具体的には、ステップＳ２で求めたラベル幅Ｌ２と一致す
る幅となるように、部分画像Ａ３が切り取られたプレプリント画像Ａ４を拡大あるいは縮
小する。例えば、記憶部２３２に登録されているプレプリント画像Ａの幅方向の印刷サイ
ズがＬ０であるとき、拡大あるいは縮小の比率として、Ｌ２／Ｌ０という値を用いる。プ
レプリント印刷処理部２３３は、部分画像Ａ３が切り取られたプレプリント画像Ａ４を、
縦横の寸法比は一定に保ったまま、求めた比率Ｌ２／Ｌ０に基づいて拡大または縮小する
。これにより、拡縮画像Ａ５が生成される（図３（ｃ）参照）。
【００３６】
次に、プレプリント印刷処理部２３３は、ラベルＰ２と幅が一致するサイズに調整され
た拡縮画像Ａ５と、一時保存しておいたロゴマークＡ２の領域の部分画像Ａ３とを合成す
る（ステップＳ７：第４ステップ）。具体的には、プリンター２の制御部２３は、印刷を
実行すべき画像を展開するイメージバッファーを備えているので、このイメージバッファ
ーに拡縮画像Ａ５を配置し、更に、部分画像Ａ３を重ねて配置する。例えば、拡縮画像Ａ
５の中には、部分画像Ａ３が切り取られた空白領域Ａ６が存在しているため、ステップＳ
７では、この空白領域Ａ６に部分画像Ａ３を配置する。
【００３７】
ここで、空白領域Ａ６は、ステップＳ７の拡縮処理によって比率Ｌ２／Ｌ０で拡大ある
いは縮小されているため、部分画像Ａ３とはサイズが異なる。そこで、プレプリント印刷
処理部２３３は、ステップＳ７の処理において、予め設定した方法で部分画像Ａ３を配置
する。例えば、空白領域Ａ６の中央と部分画像Ａ３の中央とを縦横の両方向で一致させる
配置（いわゆる、中央揃えの配置）とするように、イメージバッファーに部分画像Ａ３を
配置する。これにより、拡縮画像Ａ５と部分画像Ａ３を合成した調整画像Ａ７が生成され
る（図３（ｄ）参照）。なお、部分画像Ａ３の配置方法は、中央揃え以外の配置方法であ
ってもよい。例えば、部分画像Ａ３が拡縮画像Ａ５からはみ出すことがないように位置を
調整してもよい。
【００３８】
しかる後に、生成した調整画像Ａ７を印刷画像Ｂと共にラベルＰ２に印刷する処理が行
われる（ステップＳ８〜Ｓ９）。まず、プレプリント印刷処理部２３３は、生成した調整
画像Ａ７と、印刷データに含まれる印刷画像を合成する処理を行う（ステップＳ８：第５
ステップ）。プレプリント印刷処理部２３３は、印刷データに含まれる印刷画像Ｂを、指
定されたサイズのイメージデータに展開し、イメージバッファー上の調整画像Ａ７に重ね
て配置する。印刷画像Ｂの配置や印刷サイズは、印刷データに含まれる印刷条件で指示さ
れている。本例の場合、プレプリント画像Ａを構成する枠状の画像に囲まれる領域に印刷
画像Ｂが配置される。これにより、調整画像Ａ７と印刷画像Ｂが合成され、合成画像Ｃが
生成される（図３（ｅ）参照）。
【００３９】
続いて、印刷制御部２３１は、イメージバッファー上の画像について、印刷機構２２に
対して印刷指示を行い、当該指示に従って、印刷機構２２がラベルＰ２に対する印刷を行
う（ステップＳ９：第６ステップ）。
【００４０】
なお、印刷データが１枚のラベルＰ２に印刷する１枚の印刷画像Ｂのみを含んでいると
きは、ステップＳ８〜Ｓ９を１回行うことで印刷処理が終了するが、印刷データが複数枚
のラベルＰ２に印刷するための複数枚の印刷画像Ｂを含んでいるときは、印刷制御部２３
１は、印刷画像Ｂの数だけ、ステップＳ８〜Ｓ９を繰り返す。このとき、全ての印刷画像
Ｂに対して同一の調整画像Ａ７を用いるため、プレプリント画像Ａを調整して調整画像Ａ
７を生成する処理（ステップＳ４〜Ｓ７）は、１度だけ行えばよい。全ての印刷画像Ｂに
対して、調整画像Ａ７と合成してラベルＰ２への印刷を実行する処理（ステップＳ８〜Ｓ
９）が行われた後、印刷制御部２３１は、調整画像Ａ７のデータを破棄する。
【００４１】
以上のように、本形態のプリンター２および印刷システム１は、１枚のプレプリント画
像Ａのみを記憶部２３２に記憶させておけばよく、ラベルＰ２のサイズに合わせてプレプ
リント画像Ａのサイズを調整して、印刷画像Ｂと合成して印刷することができる。従って
、様々な形状のラベルＰ２に適合するサイズでプレプリント画像Ａを調整して印刷できる
構成でありながら、プレプリント画像Ａを記憶保持するための記憶容量が少なくて済み、
その登録作業やデータ管理などの負荷も少ない。また、プレプリント画像Ａの中でサイズ
を変更すべきでない部分（ロゴマークＡ２など）を一旦切り出してその部分（部分画像Ａ
３）を保持しておき、これを元のサイズのまま拡縮画像Ａ５と合成する。このようにする
と、プレプリント画像Ａの全体のサイズを調整しつつ、ロゴマークＡ２などの部分は適切
なサイズを維持して印刷することができる。よって、プレプリント画像Ａのサイズ調整を
行ったことで、ロゴマークＡ２などが不適切なサイズで印刷されてしまうことを防止でき
る。
【００４２】
特に、本形態では、サイズを維持すべき部分（例えば、ロゴマークＡ２）を別画像とし
て登録せず、その領域を特定する情報のみを登録しておいてサイズ調整の際にプレプリン
ト画像Ａの中から部分画像Ａ３を切り出す。従って、複数枚の画像データを記憶保持する
場合と比較して必要な記憶容量が少なくて済む。
【００４３】
（変形例）
（１）上記形態のステップＳ６の処理において、算出した比率Ｌ２／Ｌ０の値を切捨て、
切り上げ、四捨五入等によって丸めて、丸めた値を用いて拡縮することもできる。この場
合、ステップＳ６の処理で生成した拡縮画像Ａ５の幅寸法は、ラベル幅Ｌ２に対して誤差
がある寸法となる。このような場合に、プレプリント印刷処理部２３３は、ステップＳ６
の処理の中で、ラベル幅Ｌ２に対して誤差がある拡縮画像Ａ５をラベルＰ２上でどのよう
に配置するかを決定することができる。例えば、拡縮画像Ａ５をラベルＰ２に対して幅方
向の中央合わせで配置するか、幅方向の一方側の端に合わせて配置するか、他方側の端に
合わせて配置するかを決定する。この配置をどのようにするかは、予め、プレプリント画
像Ａと共にプリンター２に登録しておくことができる。あるいは、印刷データに含まれる
情報に基づいて行ってもよい。この場合は、印刷データに、上記の３つの配置のうちのど
れを用いるかを指定する情報を含めておけばよい。
【００４４】
（２）上記形態は、ラベルＰ２とプレプリント画像Ａの紙幅方向の寸法を一致させるよう
にプレプリント画像Ａの拡縮処理を行うものであったが、紙幅方向と直交する方向の寸法
を一致させるように拡縮処理を行ってもよい。
【００４５】
（３）上記形態は、プレプリント画像Ａの中で部分画像Ａ３が切り取られた空白領域Ａ６
が拡縮され、そこに元のサイズの部分画像Ａ３が配置される。従って、プレプリント画像
Ａが拡大された場合には、空白領域Ａ６が部分画像Ａ３より大きくなり、部分画像Ａ３の
周囲に空白の領域が形成されてしまう。そこで、このような場合には、拡縮画像Ａ５と部
分画像Ａ３との境界をぼかすように画素を調整する処理を行うことが望ましい。例えば、
部分画像Ａ３を囲む空白の部分の画素を、部分画像Ａ３の外周縁の画素と同じ色に調整す
る画像処理を行う。また、プレプリント画像Ａが縮小された場合には、部分画像Ａ３の周
りに空白の領域ができることはないものの、部分画像Ａ３の外周縁が、元のサイズのとき
とは異なる画素に隣接するので、その境界が目立つ場合がある。そこで、このような場合
は、部分画像Ａ３と拡縮画像Ａ５との境界をぼかす画像処理（例えば、ディザ処理）を行
うことが望ましい。
【００４６】
（４）上記形態は、印刷データが用紙情報を含み、受信した用紙情報に基づいてラベル幅
Ｌ２を算出して拡縮処理を行うものであったが、予め、用紙情報をプリンター２に登録し
ておいてもよい。あるいは、プリンター２に搭載したセンサーでラベル幅を検出できる場
合には、検出したラベル幅に基づいて拡縮処理を行っても良い。
【符号の説明】
【００４７】
１…印刷システム、２…プリンター（印刷装置）、３…ホストコンピューター（上位装置
）、２１…搬送機構、２２…印刷機構、２３…制御部、２４…通信インターフェース（通
信部）、３１…プレプリント画像登録部（第１画像登録部）、３２…ドライバー部、３３
…アプリケーション部、２３１…印刷制御部、２３２…記憶部、２３３…プレプリント印
刷処理部（第１画像調整部／印刷画像合成部）、Ａ…プレプリント画像（第１画像）、Ａ
１…背景画像、Ａ２…ロゴマーク、Ａ３…部分画像（第２画像）、Ａ４…部分画像Ａ３が
切り取られたプレプリント画像、Ａ５…拡縮画像、Ａ６…空白領域、Ａ７…調整画像、Ｂ
…印刷画像、Ｃ…合成画像、Ｌ…紙幅、Ｌ１…台紙幅、Ｌ２…ラベル幅、Ｐ…ラベル紙（
印刷媒体）、Ｐ１…台紙、Ｐ２…ラベル
【図１】
2016100666.tif 000003
【図２】
2016100666.tif 000004
【図３】
2016100666.tif 000005
【図４】
2016100666.tif 000006